(57)【要約】  本発明は、放射性物質の輸送および／または保管のためにパッケージングの周辺に配設されることを目的とした、自然対流によって放熱するための構造（３０）に関し、構造は、２つの隣接した半構造（３０ａ，３０ｂ）を有し、各半構造が、平行であり構造の高さの方向（８）に対して傾斜した主フィン（４０ａ，４０ｂ）を備え、２つの半構造（３０ａ，３０ｂ）の主フィン（４０ａ，４０ｂ）は、パッケージングが、その底部（４）を下方に向けて垂直に配置されたときに、全体的に逆Ｖ字形状を有するフィン（４４）を、２つ組みで形成する。
2019502912.tif 000002
【特許請求の範囲】
【請求項１】
放射性物質の輸送および／または保管のためにパッケージング（１）の周辺に配設されることを目的とした、自然対流によって放熱するための構造（３０）であって、
前記構造は、２つの隣接した半構造（３０ａ，３０ｂ）を有し、各半構造が、平行であり構造の高さの方向（８）に対して傾斜した主フィン（４０ａ，４０ｂ）を備え、２つの半構造（３０ａ，３０ｂ）の主フィン（４０ａ，４０ｂ）は、前記パッケージングが、その底部（４）を下方に向けて垂直に配置されたときに、全体的に逆Ｖ字形状を有するフィン（４４）を、２つ毎に形成することを特徴とし、
前記構造は以下のパラメータを有する：
Ｈ：各半構造（３０ａ，３０ｂ）の高さ、この高さは、傾斜した主フィン（４０ａ，４０ｂ）がそれに沿って連続して配置される高さの方向（８）において、２から５ｍの間である；
ｈ：各主フィン（４０ａ，４０ｂ）の高さ、１０から１００ｍｍの間である；
ｄ：２つの直接連続した主フィンの間に画定される空気循環のための各主経路（４８ａ，４８ｂ）の幅、この幅は１０から５０ｍｍの間である；
Ｅｐ：各主フィン（４０ａ，４０ｂ）の厚さであり、ｄ／Ｅｐ≧２．５の条件を満たす；
Ｌ：高さの方向（８）に対して垂直な横方向における各半構造（３０ａ，３０ｂ）の幅、前記幅Ｌは以下の条件を満たす：
０．３０・（０．３５・Ｈ０．５・ｈ０．６／ｄ０．１）≦Ｌ≦３．５・（０．３５・Ｈ０．５・ｈ０．６／ｄ０．１）
ことを特徴とする放熱構造。
【請求項２】
前記２つの隣接する半構造（３０ａ，３０ｂ）は、実質的に対称な様式で配置されていることを特徴とする請求項１に記載の放熱構造。
【請求項３】
前記主フィン（４０ａ，４０ｂ）は直線状であり、高さの方向（８）に対して３０から６０°の間の値分傾斜しており、好ましくは、この同じ方向に対して４５°の値分傾斜していることを特徴とする請求項１または２に記載の放熱構造。
【請求項４】
幅ｄは一定であり、各半構造（３０ａ，３０ｂ）の空気の循環のための全ての主経路（４０ａ，４０ｂ）に関して同一であることを特徴とする、請求項１から３のいずれか一項に記載の放熱構造。
【請求項５】
各半構造（３０ａ，３０ｂ）の幅Ｌが、以下の条件：
０．５５・（０．３５・Ｈ０．５・ｈ０．６／ｄ０．１）≦Ｌ≦１．８・（０．３５・Ｈ０．５・ｈ０．６／ｄ０．１）
を満たすことを特徴とする、請求項１から４のいずれか一項に記載の放熱構造。
【請求項６】
前記２つの半構造（３０ａ，３０ｂ）は互いに独立しており、それぞれが１つのプレート（４６）と、そのプレートから突出する独自の主フィンを有することを特徴とする、請求項１から５のいずれか一項に記載の放熱構造。
【請求項７】
前記２つの半構造（３０ａ，３０ｂ）は高さＨを有する同じプレート上に製造されることを特徴とする、請求項１から５のいずれか一項に記載の放熱構造。
【請求項８】
各半構造（３０ａ，３０ｂ）は実質的に平坦であることを特徴とする、請求項１から７のいずれか一項に記載の放熱構造
【請求項９】
放射性物質の輸送および／または保管のためのパッケージング（１）であって、請求項１から８のいずれか一項に記載の、放熱のための複数の構造（３０）を備えた外側に配設された側体（１０）を備え、前記構造は、前記側体（１０）の周囲に分散されている、パッケージング。
【請求項１０】
周方向（３２）に直接隣接した２つの放熱構造（３０）間の間隔Ｅｃ′は、間隔Ｅｃと実質的に等しいことを特徴とする請求項９に記載のパッケージング。
【発明の詳細な説明】
【技術分野】
【０００１】
本発明は、放射性物質を輸送および／または保管するためのパッケージングに装填される放射性物質によって生じる熱を排出する分野に関する。
【０００２】
より厳密には、本発明は、例えば核燃料または放射性廃棄物の組立体である放射性物質を輸送および／または保管するためのパッケージングの周囲に設けられることを意図した、自然対流による放熱のための構造に関する。
【背景技術】
【０００３】
パッケージングに収容された放射性物質から放射されるカロリーを、周囲環境に排出することを目的として、パッケージングの側体の外面の周りの熱を排出するための外部装置を組み立てることが従来技術から知られている。
【０００４】
この熱を排出するための装置は特に、パッケージングを形成する種々の要素、特に継手および放射線保護による使用中に、これらの要素の劣化の危険を防止するために、これらの要素が達する温度を制限するように設計される。
【０００５】
さらに、周囲環境とのカロリーの交換というその主機能を保証できることに加えて、この装置は、防染性、経時的耐性、大気中ストレスへの耐性、ロードおよびアンロード中の浸漬等の使用条件への耐性または中性子遮蔽樹脂の封じ込め等の、パッケージングの使用上の制約と適合するように設計される。
【０００６】
このタイプの外部装置の既知の解決策は、パッケージングの側体を包囲する外殻の形態であり、そこに、適切な断面を有する長手方向の直線状のフィンが溶接される。これらのフィンは、それらが、パッケージング自体が垂直に配置されているときは垂直方向に配向するため、垂直とも呼ばれる。
【０００７】
しかしながら、この解決策は、実地上、パッケージングが垂直に配置されている場合に、パッケージングの高さに従って漸次増加する温度プロファイルをもたらすため、補完の余地がある。
【発明の概要】
【発明が解決しようとする課題】
【０００８】
本発明の目的は、したがって、従来技術の実施形態に関する上記に説明した不都合を少なくとも部分的に克服することである。
【課題を解決するための手段】
【０００９】
これを行うために、本発明の目的は先ず、放射性物質の輸送および／または保管のためにパッケージングの周辺に配設されることを目的とした、自然対流によって放熱するための構造であり、構造は２つの隣接した半構造を有し、各半構造が、平行であり構造の高さの方向に対して傾斜した主フィンを備え、２つの半構造の主フィンは、パッケージングが、その底部を下方に向けて垂直に配置されたときに、全体的に逆Ｖ字形状を有するフィンを、２つ毎に形成し、
構造は以下のパラメータを有する：
Ｈ：各半構造の高さ、この高さは、傾斜した主フィンがそれに沿って連続して配置される高さの方向において、２から５ｍの間である；
ｈ：各主フィンの高さ、１０から１００ｍｍの間である；
ｄ：２つの直接連続した主フィンの間に画定される空気循環のための各主経路の幅、この幅は１０から５０ｍｍの間である；
Ｅｐ：各主フィンの厚さであり、ｄ／Ｅｐ≧２．５の条件を満たす；
Ｌ：高さの方向に対して垂直な横方向における各半構造の幅、前記幅Ｌは以下の条件を満たす：
０．３０・（０．３５・Ｈ０．５・ｈ０．６／ｄ０．１）≦Ｌ≦３．５・（０．３５・Ｈ０．５・ｈ０．６／ｄ０．１）。
【００１０】
上記で定義された特定の幾何学的条件は、フィンの対流性能が、特に、従来技術から知られる垂直直線状フィンに関して、大きく改善されることを可能する。さらに、驚くべきことに、これらの特定の寸法で、有利にも、主経路における空気粒子の加速の現象が観察され、それは、増強された熱性能を提供する。この現象は、主経路の取入口での空気取り入れゾーンと、これらの経路のさらに下流に配置された出口ゾーンとの間の相互作用の結果である。より厳密には、出口ゾーンでの空気粒子の部分は、渦の形態でリサイクルされ、それは、これらの同じ経路の取入口に、より低温の空気が引き込まれることを可能にする。言い換えると、フィンの上方および主経路の上方で生成されるこれらの渦は、主経路内での空気の加速を促進する。本発明で用いられるこの渦の現象により、熱性能に関する利得は、熱交換表面が等しい場合に、垂直フィンでの解決策に対して少なくとも約１０％である。
【００１１】
本発明はさらに、以下の光学的特徴を、単独でまたは組み合わせて有する。
【００１２】
２つの隣接する半構造は、実質的に対称な様式で配置されている。
【００１３】
構造は、一体になって全体的に逆Ｖ字形状を有するフィンを形成する２つの主フィンの対向する端部の間に任意で間隔Ｅｃを有し、２つの対向する端部はＶの頂点を形成し、この間隔ＥｃはＥｃ／Ｌ≦０．２の条件を満たしている。
【００１４】
主フィンは直線状であり、高さの方向に対して３０から６０°の間の値分傾斜しており、好ましくは、この同じ方向に対して４５°の値分傾斜している。
【００１５】
幅ｄは一定であり、各半構造の空気の循環のための全ての主経路に関して同一である。
【００１６】
各半構造の幅Ｌは、以下のより厳密な条件を満たす：
０．５５・（０．３５・Ｈ０．５・ｈ０．６／ｄ０．１）≦Ｌ≦１．８・（０．３５・Ｈ０．５・ｈ０．６／ｄ０．１）。
【００１７】
この制限された値の範囲において、フィンの対流性能はさらに増加する。熱特性に関する利得は、熱交換表面が等しい場合に、垂直フィンを有する解決策に対して少なくとも約２５％である。
【００１８】
２つの半構造は互いに独立しており、それぞれが１つのプレートと、そのプレートから突出する独自の主フィンを有する。これが、製造および組み立ての容易さをもたらす。
【００１９】
別法として、２つの半構造は、高さＨを有する同じプレート上に作製されてもよい。
【００２０】
各半構造は実質的に平坦であり、この場合製造の容易さももたらす。
【００２１】
本発明の目的はさらに、放射性物質の輸送および／または保管のためのパッケージングであり、パッケージングは、上記で説明したような放熱のための複数の構造が外側に配設された側体を備え、これらの構造は、側体の周縁の周りに分散されている。
【００２２】
好ましくは、周方向に直接隣接した２つの放熱構造間の間隔Ｅｃ′は、間隔Ｅｃと実質的に等しい。
【００２３】
本発明の他の利点および特徴は、以下の非限定的な詳細な説明から明らかとなろう。
【図面の簡単な説明】
【００２４】
この説明は、添付図面に関してなされる。
【００２５】
【図１】本発明の好ましい実施形態による放熱構造を備えた、放射性物質の保管および／または輸送のためのパッケージングの正面図である。
【図２】図１の線ＩＩ−ＩＩに沿った部分断面図である。
【図３】放熱構造の一部分の拡大正面図である。
【図４】図３の線ＩＶ−ＩＶに沿った断面図である。
【図５】フィンの上方および放熱構造の主経路の上方での空気の渦の原理が例示されている、図３に類似した図である。
【発明を実施するための形態】
【００２６】
先ず図１および２を参照すると、核燃料または放射性廃棄物の組立体（図示せず）等の、放射性物質の保管および／または輸送のためのパッケージング１が示されている。
【００２７】
このパッケージング１は、図１において、長軸２が垂直に配向した垂直保管位置で示されている。パッケージング１は、長軸２に対して平行に、高さの方向８において着脱式カバー６に対向するパッケージング底部４上に載置されている。底部４とカバー６の間に、パッケージング１は、軸２周りに延在して、放射性物質のハウジング用の空隙１２を内部に画定する側体１０を備える。
【００２８】
側体１０は一般に、同心であって軸２に中心決めされた環状空間１８を画定する内殻１４と外殻１６を備えている。空間１８は２つの殻１４、１６を接続する伝熱手段２０ならびに中性子保護手段２２によって満たされる。上記の手段２０，２２は従来型の設計であるため、より詳細には説明しない。
【００２９】
外殻１６は本発明に従って放熱するための複数の構造３０を用いて作製される。これらの構造３０は軸２の周りに周方向に分散され、高さの方向８において２から５ｍの間の高さＨに沿ってそれぞれ延在する。図２に示した例において、構造３０は、長方形プレートの形状の底部を備え、これらのプレートはそれぞれ２つの長手方向縁を備える。これらのプレートは、それらの対向する縁において溶接によって、外殻１６を再形成するような様式で端と端をつけて組み立てられている。
【００３０】
図３をより仔細に参照すると、パッケージングの周縁方向３２に隣接する２つの構造３０が示されている。これらの２つの構造３０は同一であり、好ましくはこのことは、外殻１６を形成する構造３０すべてに関して該当し、その数は５から４０の間であり得る。
【００３１】
各放熱構造３０は、類似した設計でありパッケージングの半径方向面Ｐｒに対して実質的に対称に配置された２つの半構造３０ａ，３０ｂを備えている。半構造３０ａは直線状且つ平行な主フィン４０ａを備えている。それらは、構造３０の高さ方向にも対応する、パッケージングの高さの方向８に対して傾斜している。方向８に対する主フィン４０ａの傾斜角Ａａは好ましくは約４５°である。類似した実質的に対称な様式で、半構造３０ｂは直線状且つ平行な主フィン４０ｂを備えている。それらはパッケージングの高さ方向８に対して、好ましくは約４５°である傾斜角Ａｂ分傾斜している。それにもかかわらず、対称性は完全でない可能性があり、例えば約１０から２０度の２つの角度Ａａ，Ａｂの値に若干の差をもたらす。
【００３２】
２つの半構造の主フィン４０ａ，４０ｂは、図１および３のように、パッケージングが底部を下方に向けて垂直に配置された場合に、２つ毎に、全体的に逆Ｖ字形状を有するフィン４４を形成する。こうして各フィン４４は主フィン４０ａのうち１つと、対向する主フィン４０ｂによって形成され、したがってシェブロンの形を取る。
【００３３】
各半構造３０ａ，３０ｂは方向８において単一部分から形成されても、または、この同じ方向においてセグメント化されていてもよい。図１に示されている後者の場合、半構造セグメントは端と端が溶接されることによって、互いの延長部として配置され得る。
【００３４】
好ましくは、２つの半構造３０ａ，３０ｂは互いに独立している、すなわち、それらはそれぞれ、図４の半構造３０ａに関して示すようにプレート４６を備え、関連する主フィンがそこから突出する。２つのプレート４６は、構造３０を再形成するような様式で、周方向において互いに対面するそれらの縁で溶接することによって互いに組み立てられる。こうして、２つの組み立てられたプレート４６は一体となって、外殻１６を再形成することに関与する長方形プレートの形状の、前述の底部を形成する。
【００３５】
図３に示すように、２つの半構造３０ａ，３０ｂは対称な設計を有している。この同じ図３において、方向８に、２つの直接連続したフィン４０ａ，４０ｂによって画定される主経路４８ａ，４８ｂも示されている。
【００３６】
図３および４は、特別高温である予想外の熱性能を得るための最終的な幾何学的パラメータを示す。
【００３７】
これらは先ず、各半構造３０ａ，３０ｂの高さＨを含み、それは、これら２つの半構造からなる構造３０の高さＨに対応する。上記のように、高さＨは２から５ｍの間であり、好ましくは４ｍに近い。
【００３８】
これらは、１０から１００ｍｍの間の各主フィン４０ａ，４０ｂの高さｈも包含し、それは好ましくは全ての主フィンに関して同一である。
【００３９】
空気の循環のための各主経路４８ａ，４８ｂの幅ｄも、これらの重要なパラメータの一部である。この幅ｄは１０から５０ｍｍの間であり、高さＨ全体にわたり、経路４８ａ，４８ｂ全てに関して一定且つ同一である。
【００４０】
これらは、主フィン４０ａ，４０ｂそれぞれの厚さＥｐも包含し、それは、ｄ／Ｅｐ≧２．５の条件を満たす。この厚さＥｐも好ましくは全ての主フィンに関して同一である。
【００４１】
最後に、各半構造３０ａ，３０ｂの幅Ｌも主要パラメータである。高さの方向に対して直角な横方向に延在し、周方向３２になぞらえられ得るこの幅Ｌは、２つの半構造に関して同一であり、以下の条件を満たす：
０．３０・（０．３５・Ｈ０．５・ｈ０．６／ｄ０．１）≦Ｌ≦３．５・（０．３５・Ｈ０．５・ｈ０．６／ｄ０．１）。
【００４２】
さらに、全体的に逆Ｖ字形状４４を有するフィンを一体になって形成する２つの主フィン４０ａ，４０ｂの対向する端部の間に任意の間隔Ｅｃが配設され得る。フィン４４の先端に配置されたこの間隔は、Ｅｃ／Ｌ≦０．２の条件を満たす。間隔は方向８において揃っているため、それらは一体になって一種の、空気退出用の垂直経路５４を、放熱のための構造３０の２つの半構造３０ａ，３０ｂの間の接合部に形成する。
【００４３】
さらに、周縁方向３２において直接隣接する２つの放熱構造３０の間に好ましくは間隔Ｅｃ′がある。この間隔Ｅｃ′は例えば実質的に間隔Ｅｃに等しい。
【００４４】
幾何学的パラメータのこの組み合わせは、非常に良好な熱性能を提供し、それは、これらのパラメータが以下の条件を満たした場合さらに向上する：
０．５５・（０．３５・Ｈ０．５・ｈ０．６／ｄ０．１）≦Ｌ≦１．８・（０．３５・Ｈ０．５・ｈ０．６／ｄ０．１）。
【００４５】
さらに好ましくは、熱性能の利得は、幅Ｌが以下の積、０．３５・Ｈ０．５・ｈ０．６／ｄ０．１によって定義される特定の値に近付いたときに、垂直で直線状のフィンを備えた従来型の解決策に対して９０％に達し得る。
【００４６】
上記の全ての事例において、熱性能の利得は、主経路４８ａ，４８ｂ内の空気の粒子の加速の現象を得ることによって予想外に且つ驚くほどに説明される。図５の矢印５６で描かれる、経路内の空気の加速は、経路４８ａ，４８ｂの入口の空気取り入れ部のためのゾーン５８と、これらの経路のさらに下流に配置された出口ゾーン６０との間の相互作用から生じる。この図５において、空気取り入れ部用のゾーン５８は、頂点が上を向いた三角形の形状の暗色グレー部分に対応する。これは、経路４８ａ，４８ｂにおけるこれら取り入れゾーン５８が、底部にかけてより長くなっているという事実によって説明される。反対に、出口ゾーン６０は、頂点が下を向いた三角形の形状の明色グレー部分に対応する。これは、これら出口ゾーンが、頂部にかけてより長くなっているという事実によって説明される。
【００４７】
提案された構成において、半構造が加熱されると、自然対流が存在してそれが空気を主経路４８ａ，４８ｂに導入し、次に、これらの経路内で上方に伝播してから他方の半構造に属する対向する経路から来る空気と合流する。逆Ｖｓの先端での、主経路４８ａ，４８ｂの出口でのこの衝撃は、空気を垂直方向上方に排出する。しかし同時に、本発明で実施される特定の幾何学的パラメータからもたらされる、取り入れゾーン５８の長さと出口ゾーン６０の長さの間の制御された比率により、フィンの上方および主経路４８ａ，４８ｂの上方での渦と空気の再循環があり、それがこれらの経路における空気の加速を促進する。図５の矢印６２によって描写されるこれらの渦は、出口ゾーン６０における空気の粒子の部分が、取り入れゾーン５８によって駆動されながら主経路４８ａ，４０ｂへと再び引き寄せられる一方で、空気取り入れゾーン５８内の空気粒子が出口ゾーン６０によって駆動される故に得られる。
【００４８】
当然ながら、単に非限定的な例として上記に説明された本発明への種々の変更が、当業者によってなされ得る。
【符号の説明】
【００４９】
１  パッケージング
２  長軸
４  底部
６  着脱式カバー
８  高さの方向
１０  側体
１２  空隙
１４  内殻
１６  外殻
１８  空間
２０，２２  手段
３０  構造
３０ａ，３０ｂ  半構造
４４  フィン
４６  プレート
４８ａ，４８ｂ  主経路
５８  取り入れゾーン
６０  出口ゾーン
【図１】
2019502912.tif 000003
【図２】
2019502912.tif 000004
【図３】
2019502912.tif 000005
【図４】
2019502912.tif 000006
【図５】
2019502912.tif 000007
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
放射性物質の輸送および／または保管のためにパッケージング（１）の周辺に配設されることを目的とした、自然対流によって放熱するための構造（３０）であって、
前記構造は、２つの隣接した半構造（３０ａ，３０ｂ）を有し、各半構造が、平行であり構造の高さの方向（８）に対して傾斜した主フィン（４０ａ，４０ｂ）を備え、２つの半構造（３０ａ，３０ｂ）の主フィン（４０ａ，４０ｂ）は、前記パッケージングが、その底部（４）を下方に向けて垂直に配置されたときに、全体的に逆Ｖ字形状を有するフィン（４４）を、２つ毎に形成することを特徴とし、
前記構造は以下のパラメータを有する：
Ｈ：各半構造（３０ａ，３０ｂ）の高さ、この高さは、傾斜した主フィン（４０ａ，４０ｂ）がそれに沿って連続して配置される高さの方向（８）において、２から５ｍの間である；
ｈ：各主フィン（４０ａ，４０ｂ）の高さ、１０から１００ｍｍの間である；
ｄ：２つの直接連続した主フィンの間に画定される空気循環のための各主経路（４８ａ，４８ｂ）の幅、この幅は１０から５０ｍｍの間である；
Ｅｐ：各主フィン（４０ａ，４０ｂ）の厚さ、ｄ／Ｅｐ≧２．５の条件を満たす；
Ｌ：高さの方向（８）に対して垂直な横方向における各半構造（３０ａ，３０ｂ）の幅、前記幅Ｌは以下の条件を満たす：
０．３０・（０．３５・Ｈ０．５・ｈ０．６／ｄ０．１）≦Ｌ≦３．５・（０．３５・Ｈ０．５・ｈ０．６／ｄ０．１）
ことを特徴とする放熱構造。
【請求項２】
前記２つの隣接する半構造（３０ａ，３０ｂ）は、実質的に対称な様式で配置されていることを特徴とする請求項１に記載の放熱構造。
【請求項３】
前記主フィン（４０ａ，４０ｂ）は直線状であり、高さの方向（８）に対して３０から６０°の間の値分傾斜しており、好ましくは、この同じ方向に対して４５°の値分傾斜していることを特徴とする請求項１に記載の放熱構造。
【請求項４】
幅ｄは一定であり、各半構造（３０ａ，３０ｂ）の空気の循環のための全ての主経路（４０ａ，４０ｂ）に関して同一であることを特徴とする、請求項１に記載の放熱構造。
【請求項５】
各半構造（３０ａ，３０ｂ）の幅Ｌが、以下の条件：
０．５５・（０．３５・Ｈ０．５・ｈ０．６／ｄ０．１）≦Ｌ≦１．８・（０．３５・Ｈ０．５・ｈ０．６／ｄ０．１）
を満たすことを特徴とする、請求項１に記載の放熱構造。
【請求項６】
前記２つの半構造（３０ａ，３０ｂ）は互いに独立しており、それぞれが１つのプレート（４６）と、そのプレートから突出する独自の主フィンを有することを特徴とする、請求項１に記載の放熱構造。
【請求項７】
前記２つの半構造（３０ａ，３０ｂ）は高さＨを有する同じプレート上に製造されることを特徴とする、請求項１に記載の放熱構造。
【請求項８】
各半構造（３０ａ，３０ｂ）は実質的に平坦であることを特徴とする請求項１に記載の放熱構造。
【請求項９】
放射性物質の輸送および／または保管のためのパッケージング（１）であって、請求項１に記載の、放熱のための複数の構造（３０）を備えた外側に配設された側体（１０）を備え、前記構造は、前記側体（１０）の周囲に分散されている、パッケージング。
【請求項１０】
周方向（３２）に直接隣接した２つの放熱構造（３０）間の間隔Ｅｃ′は、間隔Ｅｃと実質的に等しいことを特徴とする請求項９に記載のパッケージング。
【国際調査報告】
2019502912.tif 000008
2019502912.tif 000009
2019502912.tif 000010
2019502912.tif 000011